(57)【要約】【課題】シーソーボタンと被覆部材の開口部間の隙間を均一に保ち得るシーソースイッチを提供する。【解決手段】シーソーボタン３０は、ベゼル４０の開口部４１から突出した状態でリフレクタ１０に支持軸１１ｂを介して揺動可能に支持される。シーソーボタン３０は、リフレクタ１０の支持軸１１ｂと係合する係合孔３２ａを有する係合部３２を備える。シーソーボタン３０は、ベゼル４０がリフレクタ１０に取り付けられていない状態で、リフレクタ１０に対して支持軸１１ｂの軸方向に略同一平面内にて移動可能に設けられる。ベゼル４０には、シーソーボタン３０の係合部３２と対向して、係合部３２と係合可能なリブ４２が形成される。係合部３２およびリブ４２（移動規制部）により、シーソーボタン３０のリフレクタ１０に対する支持軸１１ｂ方向の移動が規制される。【選択図】図３
2008269848.tif 000002
【特許請求の範囲】
【請求項１】
開口部を有する被覆部材が支持部材に取り付けられ、シーソーボタンが前記被覆部材の開口部から突出した状態で前記支持部材に支持軸を介して揺動可能に支持されたシーソースイッチにおいて、
前記シーソーボタンは、前記被覆部材が前記支持部材に取り付けられていない状態で、前記支持部材に対して前記支持軸の軸方向または同支持軸と直交する方向に略同一平面内にて移動可能に設けられ、前記シーソーボタンと前記被覆部材間には、前記被覆部材が前記支持部材に取り付けられた状態で、前記シーソーボタンの前記支持部材に対する移動を規制する移動規制部が設けられていることを特徴とするシーソースイッチ。
【請求項２】
前記移動規制部は、前記支持軸の軸方向にて前記被覆部材と一体的に設けられて前記開口部の開口側とは反対方向に延び出す軸方向移動規制リブと、前記シーソーボタンと一体的に設けられて前記軸方向移動規制リブと係合可能な係合部とで構成されている請求項１に記載のシーソースイッチ。
【請求項３】
前記シーソーボタンまたは前記支持部材には、前記支持軸と係合可能、かつ前記支持軸と直交する方向に延び出す長孔が形成され、前記被覆部材が前記支持部材に取り付けられていない状態で、前記シーソーボタンが前記支持部材に対して前記長孔に沿って移動可能とされており、前記移動規制部は、前記支持軸と直交する方向にて前記被覆部材と一体的に設けられて前記開口部の開口側とは反対方向に延び出す直交方向移動規制リブと、前記シーソーボタンと一体的に設けられて前記直交方向移動規制リブと係合可能な係合部とで構成されている請求項１または２に記載のシーソースイッチ。
【発明の詳細な説明】
【技術分野】
【０００１】
本発明は、シーソースイッチに関し、例えば車両用空調装置の操作パネルに用いられるシーソースイッチに関する。
【背景技術】
【０００２】
従来、この種のシーソースイッチとして、例えば下記特許文献１に記載されているものが知られている。この特許文献１に記載されたシーソースイッチにおいては、図１０に示すように、操作ノブ１０１（シーソーボタン）が化粧板１０２（被覆部材）の開口部１０２ａから突出した状態で、ハウジング１０３（支持部材）に設けられた揺動軸１０３ａ（支持軸）を介して揺動可能に支持されている。このシーソースイッチでは、操作ノブ１０１の一端部を押し下げることで、操作ノブ１０１が支持軸１０３ａ回りに揺動し、図示を省略するプリント基板上に実装されたスイッチを選択的にオン・オフするように構成されている。
【特許文献１】特開２００４−９５５０８号公報
【発明の開示】
【発明が解決しようとする課題】
【０００３】
しかしながら、上記特許文献１に記載されたシーソースイッチでは、操作ノブ１０１がハウジング１０３に支持される構成上、操作ノブ１０１の設置位置がハウジング１０３を基準として設定される。したがって、操作ノブ１０１と化粧板の１０２の開口部１０２ａ間の隙間（ギャップ）を均一な大きさに設定するためには、単に操作ノブ１０１と化粧板１０２の開口部１０２ａ間の寸法のバラツキを考慮に入れるだけでは足りず、ハウジング１０３の寸法のバラツキをも考慮に入れなければ、操作ノブ１０１と化粧板１０２の開口部１０２ａ間の隙間を所定の大きさに設定することができず、前記隙間が不均一になり易いという問題があった。特に、操作ノブ１０１の操作性を良好とするために、操作ノブ１０１とハウジング１０３間にガタが生じないように両部材間の隙間が極僅かな大きさに設定された場合ほど、この問題が顕著であった。なお、従来はこの問題を解決するために、化粧板の開口部の型をその都度微調整していたので、手直しに時間がかかり、またコストもかかっていた。
【０００４】
本発明の課題は、シーソーボタンと被覆部材の開口部間の隙間を均一に保ち得るシーソースイッチを提供することにある。
【課題を解決するための手段及び発明の効果】
【０００５】
上記課題を解決するために、本発明は、開口部を有する被覆部材が支持部材に取り付けられ、シーソーボタンが前記被覆部材の開口部から突出した状態で前記支持部材に支持軸を介して揺動可能に支持されたシーソースイッチにおいて、前記シーソーボタンは、前記被覆部材が前記支持部材に取り付けられていない状態で、前記支持部材に対して前記支持軸の軸方向または同支持軸と直交する方向に略同一平面内にて移動可能に設けられ、前記シーソーボタンと前記被覆部材間には、前記被覆部材が前記支持部材に取り付けられた状態で、前記シーソーボタンの前記支持部材に対する移動を規制する移動規制部が設けられていることを特徴とする。
【０００６】
このシーソースイッチでは、被覆部材が前記支持部材に取り付けられていない状態で、支持部材に対して支持軸の軸方向または同支持軸と直交する方向に略同一平面内にて移動可能に設けられている。そして、シーソーボタンと被覆部材間に設けられた移動規制部によって、被覆部材が支持部材に取り付けられた状態では、シーソーボタンの支持部材に対する移動が規制される。
【０００７】
これにより、シーソーボタンが支持部材に支持される構成とされていても、シーソーボタンと被覆部材の開口部間の隙間を所定の均一な大きさに設定する場合には、支持部材の寸法のバラツキを考慮に入れる必要がなく、単にシーソーボタンと被覆部材の開口部間での寸法のバラツキだけを考慮に入れればよいので、被覆部材の開口部の型を微調整する場合にもその回数を少なくすることができ、シーソーボタンと被覆部材の開口部間の隙間を所定の均一な大きさに容易に調整することができる。
【０００８】
本発明の実施に際して、前記移動規制部は、前記支持軸の軸方向にて前記被覆部材と一体的に設けられて前記開口部の開口側とは反対方向に延び出す軸方向移動規制リブと、前記シーソーボタンと一体的に設けられて前記軸方向移動規制リブと係合可能な係合部とで構成されていることも可能である。
【０００９】
これによれば、シーソーボタンの支持部材に対する支持軸の軸方向の移動を規制するために、被覆部材に軸方向移動規制リブを設け、シーソーボタンに軸方向移動規制リブと係合可能な係合部を設ければよいので、支持軸の軸方向におけるシーソーボタンと被覆部材の開口部間の隙間を簡易な構成で均一の大きさに設定することができる。
【００１０】
また、本発明の実施に際して、前記シーソーボタンまたは前記支持部材には、前記支持軸と係合可能、かつ前記支持軸と直交する方向に延び出す長孔が形成され、前記被覆部材が前記支持部材に取り付けられていない状態で、前記シーソーボタンが前記支持部材に対して前記長孔に沿って移動可能とされており、前記移動規制部は、前記支持軸と直交する方向にて前記被覆部材と一体的に設けられて前記開口部の開口側とは反対方向に延び出す直交方向移動規制リブと、前記シーソーボタンと一体的に設けられて前記直交方向移動規制リブと係合可能な係合部とで構成されていることも可能である。
【００１１】
これによれば、シーソーボタンの支持部材に対する支持軸と直交方向の移動を規制するために、被覆部材に直交方向移動規制リブを設け、シーソーボタンに直交方向移動規制リブと係合可能な係合部を設ければよいので、支持軸と直交する方向におけるシーソーボタンと被覆部材の開口部間の隙間を簡易な構成で均一の大きさに設定することができる。
【発明を実施するための最良の形態】
【００１２】
ａ．第１実施形態
以下、本発明の第１実施形態について図面を用いて説明する。図１（ａ），（ｂ）および図２は同第１実施形態に係るシーソースイッチを示していて、このシーソースイッチＳＳＷは、リフレクタ１０、プリント基板２０、シーソーボタン３０およびベゼル４０で構成されている。
【００１３】
リフレクタ１０（支持部材）は、段付き形状をなし、略角筒状の支持部１１と、その支持部１１と一体成形されてなる略角形容器状のベース部１２とを備えている。図２にて支持部１１の左右方向に位置する側壁１１ａ（以下、左右壁１１ａという）には、シーソーボタン３０を揺動可能に支持するための支持軸１１ｂがそれぞれ同軸的に外向きに突設されている。
【００１４】
プリント基板２０は、長方形状をなし、一組の対角方向の各隅部にて電気スイッチ２１，２２（タクトスイッチ）が実装され、中央部にはＬＥＤ等の発光素子２３が実装されている。電気スイッチ２１，２２と発光素子２３は、リフレクタ１０のベース部１２内に収容されるようになっている。なお、ベース部１２には、電気スイッチ２１，２２に対応する位置に電気スイッチ２１，２２をオン・オフするためのシーソーピン５１，５２を挿通させるための挿通孔１２ａ，１２ｂがそれぞれ形成されている。
【００１５】
シーソーボタン３０は、角形容器状をなし、図２にてリフレクタ１０の支持軸１１ｂに対応した左右方向に位置する側壁３１（以下、左右壁３１という）には支持軸１１ｂと係合する係合孔３２ａを有する係合部３２がそれぞれ同軸的に外向きに突設されている。シーソーボタン３０は、リフレクタ１０の支持軸１１ｂに揺動可能に支持されていて、一端部を押し下げることで、支持軸１１ｂ回りに揺動し、シーソーピン５１，５２を介してプリント基板２０上の電気スイッチ２１，２２を選択的にオン・オフする。
【００１６】
ベゼル４０は、開口部４１を有し、リフレクタ１０を収容可能な角形容器状に形成されている。ベゼル４０は、取り付けねじ５３によりリフレクタ１０およびプリント基板２０と一体的に取り付けられる。ベゼル４０がリフレクタ１０に取り付けられた状態では、シーソーボタン３０が開口部４１から外向きに僅かに突出する。
【００１７】
ところで、この第１実施形態では、図３に示すように、シーソーボタン３０の左右壁３１とリフレクタ１０の左右壁１１ａ間に、それぞれ所定の大きな隙間（ギャップ）Ｄ１（例えば、０．５ｍｍ程度）が形成されるように、左右壁３１の内寸法と左右壁１１ａの外寸法が設定されている。これにより、ベセル４０がリフレクタ１０に取り付けられていない状態では、シーソーボタン３０がリフレクタ１０に対して左右方向（支持軸１１ｂの軸方向）にそれぞれほぼ隙間Ｄ１分だけ移動可能とされている。
【００１８】
また、ベゼル４０には、図４に示すように、シーソーボタン３０の係合部３２と対向して、係合部３２と係合可能なリブ４２が形成されている。リブ４２（軸方向移動規制リブ）は、図３にて開口部４１の左右方向に位置する縁部４１ａ（以下、左右縁部４１ａという）から開口側とは反対方向に向けて延設されている。そして、ベゼル４０がリフレクタ１０に取り付けられた状態では、シーソーボタン３０の係合部３２とベゼル４０のリブ４２間に、それぞれ所定の小さな隙間Ｄ２（例えば、０．０５ｍｍ程度）が形成されるように、左右方向に位置する両係合部３２の外寸法と両リブ４２の内寸法が設定されている。
【００１９】
すなわち、シーソーボタン３０の係合部３２とベゼル４０のリブ４２間に形成される隙間Ｄ２が、シーソーボタン３０の左右壁３１とリフレクタ１０の左右壁１１ａ間に形成される隙間Ｄ１に比して極めて小さく設定されており、リブ４２により係合部３２の左右方向（支持軸１１ｂの軸方向）への隙間Ｄ２以上の移動が規制されることで、シーソーボタン３０の左右壁３１とベゼル４０の左右縁部４１ａ間にはほぼＤ３の大きさの隙間（例えば、０．５ｍｍ程度）が確保されるようになっている。この第１実施形態では、シーソーボタン３０の係合部３２とベゼル４０のリブ４２が、移動規制部としての機能を果たしている。
【００２０】
以上の説明からも明らかなように、この第１実施形態では、シーソーボタン３０がリフレクタ１０に支持される構成とされていても、シーソーボタン３０の左右壁３１とベゼル４０における開口部４１の左右縁部４１ａ間の隙間を所定の大きさＤ３に設定する場合には、リフレクタ１０の寸法のバラツキを考慮に入れる必要がなく、単にシーソーボタン３０の左右壁３１とベゼル４０における開口部４１の左右縁部４１ａ間での寸法のバラツキだけを考慮に入れればよいので、ベゼル４０の開口部４１の型を微調整する場合にもその回数を少なくすることができ、簡易かつ容易に、シーソーボタン３０の左右壁３１とベゼル４０における開口部４１の左右縁部４１ａ間の隙間を均一な大きさＤ３に設定することができる。
【００２１】
ｂ．第２実施形態
上記第１実施形態では、シーソーボタン３０の左右壁３１とベゼル４０の左右縁部４１ａ間に所定の大きさの隙間が確保されるように構成したが、これに代えて、例えば図１にて図示上下方向（以下、上下方向という）に位置するシーソーボタン３０の上下壁３３とベゼル４０の上下縁部４１ｂ間に所定の大きさの隙間が確保されるように構成してもよい。なお、その他の構成は上記第１実施形態と同様であるため、以下の説明では上記第１実施形態と異なる部分についてのみ説明し、上記第１実施形態と同じ部材、同じ機能を果たす部分には同一の符号を付して、説明は省略する。
【００２２】
この第２実施形態では、図５および図６に示すように、シーソーボタン３０の係合部３２が、リフレクタ１０の支持軸１１ｂと係合する係合孔３２ｂを備えている。係合孔３２ｂは、上下方向に延びる長孔とされている。これにより、ベセル４０がリフレクタ１０に取り付けられていない状態では、シーソーボタン３０がリフレクタ１０に対して上下方向（支持軸１１ｂと直交方向）にそれぞれほぼ隙間Ｄ４分だけ移動可能とされている。
【００２３】
また、ベゼル４０には、上下方向に一対のリブ４３が形成されている。一対のリブ４３（直交方向移動規制リブ）は、係合部３２を挟むように、開口部４１の左右縁部４１ａから開口側とは反対方向に向けて延設されている。そして、ベゼル４０がリフレクタ１０に取り付けられた状態では、シーソーボタン３０の係合部３２とベゼル４０の一対のリブ４３間に、それぞれ所定の小さな隙間Ｄ５（例えば、０．０５ｍｍ程度）が形成されるように設定されている。
【００２４】
すなわち、シーソーボタン３０の係合部３２とベゼル４０の一対のリブ４３間に形成される隙間Ｄ５が、シーソーボタン３０における係合部３２の係合孔３２ｂとリフレクタ１０の支持軸１１ｂ間に形成される隙間Ｄ４に比して極めて小さく設定されており、一対のリブ４３により係合部３２の上下方向への隙間Ｄ５以上の移動が規制されることで、図７に示すように、シーソーボタン３０の上下壁３３とベゼル４０の上下縁部４１ｂ間にはほぼＤ６の大きさの隙間（例えば、０．５ｍｍ程度）が確保されるようになっている。この第２実施形態では、シーソーボタン３０の係合部３２とベゼル４０の一対のリブ４３が、移動規制部としての機能を果たしている。
【００２５】
これにより、この第２実施形態では、シーソーボタン３０がリフレクタ１０に支持される構成とされていても、シーソーボタン３０の上下壁３３とベゼル４０における開口部４１の上下縁部４１ｂ間の隙間を所定の大きさＤ６に設定する場合には、リフレクタ１０の寸法のバラツキを考慮に入れる必要がなく、単にシーソーボタン３０の上下壁３３とベゼル４０における開口部４１の上下縁部４１ｂ間での寸法のバラツキだけを考慮に入れればよいので、ベゼル４０の開口部４１の型を微調整する場合にもその回数を少なくすることができ、簡易かつ容易に、シーソーボタン３０の上下壁３３とベゼル４０における開口部４１の上下縁部４１ｂ間の隙間を均一な大きさＤ６に設定することができる。
【００２６】
ｃ．第３実施形態
上記第１実施形態では、シーソーボタン３０の左右壁３１とベゼル４０の左右縁部４１ａ間に所定の大きさの隙間が確保されるように構成し、上記第２実施形態では、シーソーボタン３０の上下壁３３とベゼル４０の上下縁部４１ｂ間に所定の大きさの隙間が確保されるように構成したが、例えば図８および図９に示すように、上記第１および第２実施形態を組み合わせた構成としてもよい。図８および図９では、上記第１および第２実施形態と同じ部材、同じ機能を果たす部分には同一の符号を付してある。
【００２７】
この第３実施形態によれば、簡易かつ容易に、シーソーボタン３０の左右壁３１とベゼル４０における開口部４１の左右縁部４１ａ間の隙間を均一な大きさＤ３に設定することができ、しかもシーソーボタン３０の上下壁３３とベゼル４０における開口部４１の上下縁部４１ｂ間の隙間を均一な大きさＤ６に設定することができる。
【００２８】
上記各実施形態においては、シーソーボタンがリフレクタの支持部の外壁面側で支持されるタイプのシーソースイッチに本発明を適用したが、例えば図１０に示した従来技術のシーソースイッチのように、シーソーボタンがリフレクタの支持部の内壁面側で支持されるタイプのシーソースイッチに本発明を適用することも可能である。
【００２９】
また、上記各実施形態等では、シーソーボタンに係合孔が設けられ、リフレクタに支持軸が設けられるタイプのシーソースイッチに本発明を適用したが、シーソーボタンに支持軸が設けられ、リフレクタに係合孔が設けられるタイプのシーソースイッチに本発明を適用することも可能である。
【図面の簡単な説明】
【００３０】
【図１】（ａ）は本発明の第１〜第３実施形態に係るシーソースイッチを示す正面図。（ｂ）は本発明の第１〜第３実施形態に係るシーソースイッチを示す斜視図。
【図２】図１に示したシーソースイッチの分解斜視図。
【図３】図１の３−３断面図。
【図４】図３の４−４断面図。
【図５】本発明の第２実施形態に係るシーソースイッチの横断面図。
【図６】図５の６−６断面図。
【図７】図５の７−７断面図。
【図８】本発明の第３実施形態に係るシーソースイッチの横断面図。
【図９】図８の９−９断面図。
【図１０】従来技術のシーソースイッチの横断面図。
【符号の説明】
【００３１】
ＳＳＷ  シーソースイッチ
１０  リフレクタ（支持部材）
１１  支持部
１１ａ  左右壁
１１ｂ  支持軸
１２  ベース部
１２ａ，１２ｂ  挿通孔
２０  プリント基板
２１，２２  電気スイッチ
２３  発光素子
３０  シーソーボタン
３１  左右壁
３２  係合部（移動規制部）
３２ａ，３２ｂ  係合孔
３３  上下壁
４０  ベゼル（被覆部材）
４１  開口部
４１ａ  左右縁部
４１ｂ  上下縁部
４２  リブ（移動規制部、軸方向移動規制リブ）
４３  一対のリブ（移動規制部、直交方向移動規制リブ）
５１，５２  シーソーピン
５３  取り付けねじ
Ｄ１〜Ｄ６  隙間
【図１】
2008269848.tif 000003
【図２】
2008269848.tif 000004
【図３】
2008269848.tif 000005
【図４】
2008269848.tif 000006
【図５】
2008269848.tif 000007
【図６】
2008269848.tif 000008
【図７】
2008269848.tif 000009
【図８】
2008269848.tif 000010
【図９】
2008269848.tif 000011
【図１０】
2008269848.tif 000012